(57)【特許請求の範囲】
【請求項１】
耳かき棒の基部に電池収納部を設け、先部に耳かき部を設け、少なくとも前記耳かき棒と耳かき部を透光性材料で形成し、前記電池収納部内にはコイン型電池を収納し、前記耳かき棒の基部には発光ダイオードを収納してその光が耳かき棒内に入射されるようにするとともにその発光ダイオードの一方のリード線を前記コイン型電池の一方の極に接触させ、他方のリード線をコイン型電池の他方の極に離間して配置し、更に、電池収納部の外周壁を前記コイン型電池の外周に沿った略円形に形成し、該電池収納部の底板の外面には、該底板部に回転中心を有するスイッチ操作レバーを回動可能に設けるとともに該スイッチ操作レバーの先部を前記電池収納部の外周壁の外面へ折曲して操作部とし、更に前記スイッチ操作レバーには電池収納部内へ突入するスイッチ部を形成し、スイッチ操作レバーの正逆回動によりそのスイッチ部が前記発光ダイオードの他端のリード線をコイン型電池の極へ接離するようにしたことを特徴とするライト付耳かき。
【発明の詳細な説明】
【０００１】
【発明の属する技術分野】
本発明はライト付耳かきに関する。
【０００２】
【従来の技術】
従来、耳かき部を耳穴に挿入して使用する場合に、耳穴の内部を照らすライトを備えたライト付耳かきが知られており、その構造として、耳かきの把手部内に棒状の乾電池を収納し、この棒状の乾電池を電源として豆電球を点燈するようにしたものが、例えば実開平７−２８４９７号公報や実登第３０１２６０５号公報に開示されている。
【０００３】
【発明が解決しようとする課題】
今日、偏平な円盤状のコイン型電池が普及し、このコイン型電池は前記棒状の乾電池に比べて小型、軽量であるため、前記のようなライト付耳かきの電源としてコイン型電池を使用すると、そのライト付耳かきの小型、軽量化を図ることができる。
【０００４】
しかし、前記コイン型電池は、全体が円盤状であり、かつその表裏面に電極を有することから、前記従来のライト付耳かきに使用されているスイッチ構造は適用できない。
【０００５】
そこで本発明は、コイン型電池を使用するとともに、そのコイン型電池の使用に適するスイッチ構造を有するライト付耳かきを提案することを目的とするものである。
【０００６】
【課題を解決するための手段】
本発明は前記の課題を解決するために、耳かき棒の基部に電池収納部を設け、先部に耳かき部を設け、少なくとも前記耳かき棒と耳かき部を透光性材料で形成し、前記電池収納部内にはコイン型電池を収納し、前記耳かき棒の基部には発光ダイオードを収納してその光が耳かき棒内に入射されるようにするとともにその発光ダイオードの一方のリード線を前記コイン型電池の一方の極に接触させ、他方のリード線をコイン型電池の他方の極に離間して配置し、更に、電池収納部の外周壁を前記コイン型電池の外周に沿った略円形に形成し、該電池収納部の底板の外面には、該底板部に回転中心を有するスイッチ操作レバーを回動可能に設けるとともに該スイッチ操作レバーの先部を前記電池収納部の外周壁の外面へ折曲して操作部とし、更に前記スイッチ操作レバーには電池収納部内へ突入するスイッチ部を形成し、スイッチ操作レバーの正逆回動によりそのスイッチ部が前記発光ダイオードの他端のリード線をコイン型電池の極へ接離するようにしたことを特徴とするものである。
【０００７】
【発明の実施の形態】
図に示す実施例に基づいて本発明の実施の形態について説明する。
【０００８】
ライト付耳かき１は本体部２とカバー３とからなる。本体部２は、電池収納部４と、該部４より突設した耳かき棒５と、該耳かき棒５の先端に形成した耳かき部６とからなり、これらは透光性材料、例えば透明樹脂で一体に成形されている。なお、耳かき棒５と耳かき部６のみ透過性材料、例えば透明樹脂で形成してもよい。
【０００９】
前記電池収納部４は、前記耳かき棒５の略軸芯より下半部において、上面が開口した凹状に形成され、その内部に環状の電池支板７を立設して、該電池支板７の上面に偏平で円盤状のコイン型電池８が載置収納されている。電池収納部４と耳かき棒５との境には、照明燈である発光ダイオード９を収納する上面が開口した収納部１０が形成され、該収納部１０に発光ダイオード９が、その発光側を耳かき棒５側に向け、一方のリード線１１を前記収納したコイン型電池８の−極８ａ側に接触させ、他方のリード線１２をコイン型電池８の＋極８ｂ側に、その極面から若干離間するようにして突出させて配置されている。該両リード線１１，１２は図４及び図６に示すように、前記コイン型電池８の側方へ屈曲しているとともに、更に先部１１ａ，１２ａがコイン型電池８の略半径方向に向くように折曲されている。
【００１０】
前記電池収納部４の外周壁１３は前記コイン型電池８の外周に沿った略円形、図の例では楕円形（玉子形）の環状に形成されている。該電池収納部４の底板１４の外面にはスイッチ操作レバー１５が備えられている。該スイッチ操作レバー１５は、図３に示すように、これに一体に形成したピン１６を前記底板１４に回転可能に連結して、該ピン１６を中心として回動するように備えられている。
【００１１】
更に、スイッチ操作レバー１５の他端は前記外周壁１３の外周面側へ折曲され、該折曲部が操作部１７になっている。該操作部１７は、その回動方向に対し、ピン１６を中心とする円弧状に形成されている。また、この操作部１７の回動範囲における前記外周壁１３は、操作部１７の前記円弧に沿った曲壁に形成されている。したがって、操作部１７は電池収納部４の外周壁１３の外面に沿って回動する。
【００１２】
なお、図の例ではスイッチ操作レバー１５の回軸中心であるピン１６の位置は、電池収納部４の中心に対して図のように偏芯しているが、電池収納部４の中心でもよい。また、前記操作部１７の外面には指掛け用の凹凸面１８と突起１９が一体形成されている。
【００１３】
更に、前記スイッチ操作レバー１５には、前記電池収納部４の底板１４に形成した長穴状の窓２０から収納室内へ突入するスイッチ部２１が一体形成されている。該スイッチ部２１は、前記コイン型電池８の他方のリード線１２における先部１２ａの下側に係合する位置に設けられているとともに、該スイッチ部２１の上面が回動方向において、オン方向が下降する傾斜面２１ａに形成されており、図６及び図７に示すオン方向Ａに回動すると、前記他方のリード線１２の先部１２ａが傾斜面２１ａによって押し上げられてコイン型電池８の＋極８ｂに接触して前記発光ダイオード９が点燈し、オフ方向Ｂに回動すると、他方のリード線１２の先部１２ａが、その弾性復帰力によってコイン型電池８の＋極８ｂから離間して発光ダイオード９が消燈するようになっている。
【００１４】
前記電池収納部４の底板１４に形成した窓２０における長手方向の一端は、図５に示すように、前記スイッチ部２１のオン方向への回動位置を規制するストッパー２２に形成され、他端はオフ方向への回動位置を規制するストッパー２３になっている。更に、前記発光ダイオード９の他方のリード線１２は、図４に示す前記電池支板７と壁２４で形成された溝２５に嵌って支持されるようになっており、該リード線１２を前記スイッチ部２１でオン方向Ａへ押した場合に、該リード線１２がＡ方向へ逃げることなく上方へ移動して良好なオン作動が行われるようになっている。
【００１５】
更に、図５に示すように、前記操作部１７の内面には係止突部２６が形成され、前記外周壁１３の外面にはオン側凹部２７とオフ側凹部２８が形成されており、操作部１７のオン位置において係止突部２６がオン側凹部２７に嵌合係止し、オフ位置において係止突部２６がオフ側凹部２８に嵌合係止して、操作部１７のオン位置とオフ位置が不用意に動かないようになっている。
【００１６】
前記電池収納部４と前記発光ダイオード９の収納部１０の上部はカバー３で被覆されている。該カバー３は、これに形成した係止穴３ａに前記電池収納部４の外周壁１３の上部に突設した係止爪１３ａを嵌入係止して、着脱可能に備えられている。
【００１７】
また、前記電池収納部４の底板１４とカバー３の上板３ｂとの間隔は、薄板状のコイン型電池８を収納することから比較的薄く形成され、該電池収納部４が偏平形状になっている。
【００１８】
以上のようであるから、使用に際しては、耳かき部６を耳穴の中に入れて、使用者がスイッチ操作レバー１５を、その操作部１７に指をかけてオン方向Ａ側に回動すると、スイッチ部２１がＡ方向に回動してその傾斜面２１ａの高面が発光ダイオード９の他方のリード線１２を押し上げ、コイン型電池８の＋極８ｂに接触させる。この接触により、一方のリード線１１が常時コイン型電池８の一極８ａに接触しているため、発光ダイオード９が点燈する。この点燈による光は、耳かき棒５内を透過して耳かき部６の周面から外部から発光し、耳穴内を照らす。
【００１９】
この点燈使用中においては、操作部１７の係合突部２６がオン側凹部２７に嵌合係止しているため、操作部１７が不用意に回動して消燈することを防止できる。
【００２０】
また、不使用時には、スイッチ操作レバー１５をオフ方向Ｂ側に回動することにより、スイッチ部２１がＢ方向に回動してその傾斜面２１ａの低面が前記他方のリード線１２に位置し、そのリード線１２がコイン型電池８の＋極８ｂから離間して発光ダイオード９が消燈する。
【００２１】
この消燈中においては、操作部１７の係合突部２６がオフ側凹部２８に嵌合係止しているため、操作部１７が不用意に回動して点燈することを防止でき、保管中に点燈して電池が消耗することを防止できる。
【００２２】
更に、操作部１７のオン方向回動時やオフ方向回動時には、スイッチ部２１がストッパー２２，２３に当接してその回動位置が規制されるため、スイッチ操作レバー１５を強い力で回動しても所定範囲外まで回動せず、確実な点燈又は消燈操作ができ、かつ部品の破損も防止できる。
【００２３】
【発明の効果】
本発明は、前記のように電源としてコイン型電池を使用するとともに電池収納部をコイン型電池の外周面に沿った略円形に形成したので、電池収納部を、薄い円盤状のコイン型電池に沿った偏平で略円形の形状に形成して小型に形成でき、このライト付耳かきの取扱いが容易になる。
【００２４】
更に、前記のように、電池収納部の外周面を前記のように略円形に形成しても、スイッチ操作レバーを、電池収納部の底板に回転中心を有して備えたので、そのスイッチ操作レバーの操作部が電池収納部の外周壁の外面に沿って回動し、この操作部の回動操作、すなわちスイッチ操作がしやすくなる。
【図面の簡単な説明】
【図１】本発明の実施例を示す斜視図。
【図２】図１におけるＡ−Ａ線断面図。
【図３】図１におけるＢ−Ｂ線断面図。
【図４】同じく分解した斜視図。
【図５】同じくスイッチ操作レバー部を示す平面図。
【図６】同じく発光ダイオードとコイン型電池とスイッチ部の関係を示す斜視図。
【図７】同じくスイッチ部の側断面図。
【符号の説明】
４          電池収納部
５          耳かき棒
６          耳かき部
８          コイン型電池
８ａ，８ｂ  極
９          発光ダイオード
１１，１２  リード線
１３        外周壁
１４        底板
１５        スイッチ操作レバー
１６        回転中心であるピン
１７        操作部
２１        スイッチ部
【図１】
0004446562.tif 000002
【図２】
0004446562.tif 000003
【図３】
0004446562.tif 000004
【図４】
0004446562.tif 000005
【図５】
0004446562.tif 000006
【図６】
0004446562.tif 000007
【図７】
0004446562.tif 000008